(57)【要約】【課題】高価なストロークセンサを用いることなく、リールの上下方向位置を検出する。【解決手段】前端部にリール４を回転自在に支持し、リール支持アーム３８を、昇降シリンダ４１により上下方向に揺動して、リール４の上下方向位置を調節する。昇降シリンダ４１のシリンダ部４１ａにアウタワイヤ９０ａの端部を取付け、インナワイヤ９０ｂをリール支持アーム３８に連結する。刈取フレーム８の背面板８ａにポテンショメータ９１を配置し、上記昇降シリンダ４１のストロークをボーデンワイヤ９０を介してポテンショメータ９１に伝達する。【選択図】図１１
2014039512.tif 000002
【特許請求の範囲】
【請求項１】
刈取フレームに対して上下方向揺動自在なリール支持アームの先端部にリールを配置し、かつ前記刈取フレームと前記リール支持アームとの間に昇降シリンダを配置して、前記リールを上下方向に移動すると共に、前記リールを回転して作物を掻込んでなる、汎用コンバインにおいて、
前記昇降シリンダの前記刈取フレームに連結される固定側に、ボーデンワイヤの一端部におけるアウタワイヤを固定し、該ボーデンワイヤの一端部におけるインナワイヤを前記リール支持アームにおける前記昇降シリンダの可動側の連結部近傍に連結し、
前記ボーデンワイヤの他端部におけるアウタワイヤ及びインナワイヤの一方を前記刈取フレームに固定し、他方をポテンショメータを作動するセンサアームに連結してなる、
ことを特徴とする汎用コンバイン。
【請求項２】
刈取フレームは、軸線を左右方向にして掻込みオーガを収納し、かつ該掻込みオーガの後方を背面板にて塞ぎ、
前記ポテンショメータを前記背面板の後側面に配置してなる、
請求項１記載の汎用コンバイン。
【請求項３】
前記刈取フレームに回転自在に支持された進退アームを備え、
前記リール支持アームは、その後端が前記進退アームの先端部に回転自在に支持され、その中間部が前記昇降シリンダの可動部に回転自在に連結され、その先端部に前記リールを回転自在に支持し、かつ進退シリンダにより前後方向移動自在に支持されてなる、
請求項１又は２記載の汎用コンバイン。
【発明の詳細な説明】
【技術分野】
【０００１】
本発明は、作物を掻込むように回転駆動されるリールを備えた汎用コンバインに係り、詳しくはリールの高さ（上下方向位置）を検出する検出装置の構成に関する。
【背景技術】
【０００２】
一般に、汎用コンバインは、刈取部に回転するリールを備え、該リールで掻込んだ穀稈を全量刈取って脱穀部に搬送している。上記リールは、刈取フレームに対して上下方向に移動自在及び前後方向に移動自在に支持されている。
【０００３】
上記リールは、枢支軸に支持されたリール支持アームの先端部に配置されており、該リール支持アームを昇降シリンダにより上下方向に揺動する。該昇降シリンダと平行にストロークセンサが配置されており、昇降シリンダのストローク位置量を該ストロークセンサにて検出して、リールの上下方向位置を検出している（特許文献１参照）。
【０００４】
上記リールは、そのボスがリール支持アームに対して軸方向移動自在に支持され、該ボスをシリンダにて移動することにより前後方向位置が調整される。また、先端にリールを取付けたリール支持アームの基部を、支点軸に支持された支点フレーム（進退アーム）に回動自在に連結すると共に、上記リール支持アームの中間部に昇降シリンダを取付け、上記リールを、いわゆる４点リンク機構により支持したものも提案されている（特許文献２参照）。
【０００５】
このものは、上記支点フレームをシリンダにより揺動することにより、リールを前後方向に移動し、上記昇降シリンダによりリールを昇降する。
【先行技術文献】
【特許文献】
【０００６】
【特許文献１】特開平６−１０５６１０号公報
【特許文献２】特許第３９９５０３１号公報
【発明の概要】
【発明が解決しようとする課題】
【０００７】
前記ストロークセンサによるリールの上下方向位置の検出は、ストロークセンサが高価であるため、装置全体のコストアップの原因となっている。また、ストロークセンサの可動部が、穀稈を掻込み搬送路に露出しているため、掻込み穀稈がストロークセンサの可動部に干渉し、作動不足を生ずる虞がある。
【０００８】
前記リールが、リール支持アームに前後方向移動自在に支持されるものにあっては、前記ストロークセンサにより高い精度でリール支持アームの揺動角を検出し得ても、リールの前後方向の移動によりリールの高さに大きな影響を生じてしまう。
【０００９】
そこで、本発明は、高価なストロークセンサを用いることなく、簡単な構造でリールの上下方向位置の検出を可能とした汎用コンバインを提供することを目的とするものである。
【課題を解決するための手段】
【００１０】
本発明は、刈取フレーム（８）に対して上下方向揺動自在なリール支持アーム（３８）の先端部にリール（４）を配置し、かつ前記刈取フレームと前記リール支持アームとの間に昇降シリンダ（４１）を配置して、前記リールを上下方向に移動すると共に、前記リールを回転して作物を掻込んでなる、汎用コンバインにおいて、
前記昇降シリンダ（４１）の前記刈取フレーム（８）に連結される固定側（４１ａ）に、ボーデンワイヤ（９０）の一端部におけるアウタワイヤ（９０ａ）を固定し、該ボーデンワイヤの一端部におけるインナワイヤ（９０ｂ）を前記リール支持アーム（３８）における前記昇降シリンダの可動側（４１ｂ）の連結部近傍に連結し、
前記ボーデンワイヤ（９０）の他端部におけるアウタワイヤ及びインナワイヤの一方（９０ａ）を前記刈取フレーム（８ａ）に固定し、他方をポテンショメータ（９１）を作動するセンサアーム（９６）に連結してなる、
ことを特徴とする汎用コンバインにある。
【００１１】
例えば図１１，図１４，図１５を参照して、刈取フレーム（８）は、軸線を左右方向にして掻込みオーガ（１１）を収納し、かつ該掻込みオーガの後方を背面板（８ａ）にて塞ぎ、
前記ポテンショメータ（９１）を前記背面板（８ａ）の後側面に配置してなる。
【００１２】
例えば図１０〜図１３参照して、前記刈取フレームに回転自在に支持された進退アーム（３７）を備え、
前記リール支持アーム（３８）は、その後端が前記進退アーム（３７）の先端部（８１）に回転自在に支持され、その中間部（８７）が前記昇降シリンダ（４１）の可動部（４１ｂ）に回転自在に連結され、その先端部に前記リール（４）を回転自在に支持し、かつ進退シリンダ（３９）により前後方向移動自在に支持されてなる。
【００１３】
上記カッコ内の符号は、図面と対照するためのものであるが、これにより特許請求の範囲に記載の構成に何等影響を及ぼすものではない。
【発明の効果】
【００１４】
本発明によると、リールの上下方向位置を検出するセンサをポテンショメータ及びボーデンワイヤにて構成したので、高価なストロークセンサが不要となって、大幅なコストダウンを図ることができる。
【００１５】
前記ボーデンワイヤの一端部は、アウタワイヤを昇降シリンダの固定側に固定し、インナワイヤを、リール支持アームにおける上記昇降シリンダの可動側近傍に固定したので、昇降シリンダのストローク位置を正確に検出して、高い精度でリールの上下方向位置を検出することができる。
【００１６】
ポテンショメータを刈取フレームの背面板の後側面に配置することにより、ポテンショメータは作物に干渉することがなく、作物に影響されることなく検出することができる。
【００１７】
リールを支持するリール支持アームが、その後端部を進退アームを介して刈取フレームに支持されると共に、その中間部を昇降シリンダにより支持される、いわゆる４点リンク機構を構成することにより、リール支持アームを進退シリンダにより前後方向に移動してリールを前後方向に調節する際、上記昇降シリンダの長さは一定であって、上記ポテンショメータの検出値は一定値にあり、昇降シリンダによりリールを上下方向に移動する際に上記ポテンショメータによりリールの上下方向位置を検出して、リールの前後方向位置に影響されることなく、リールの上下方向位置を簡単かつ正確に検出することができる。
【図面の簡単な説明】
【００１８】
【図１】本発明を適用した汎用コンバインの平面図である。
【図２】本発明を適用した汎用コンバインの左側面図である。
【図３】本発明を適用した汎用コンバインの右側面図である。
【図４】刈取部を走行機体に対して下降させ且つリールを刈取部に対して上昇させた状態を示す汎用コンバインの側面図である。
【図５】刈取部を走行機体に対して上昇させ且つリールを刈取部に対して下降させた状態を示す汎用コンバインの側面図である。
【図６】本汎用コンバインの動力伝動系統図である。
【図７】操縦部の斜視図である。
【図８】マルチステアリングレバーの背面図である。
【図９】刈取部を示す左側面図である。
【図１０】刈取部を示す右側面図である。
【図１１】刈取部の右後方からみた斜視図である。
【図１２】リールの上下方向移動を示す概略側面図である。
【図１３】リールの前後方向移動を示す概略側面図である。
【図１４】リールの前後方向検出センサを示す図である。
【図１５】他の実施の形態によるリールの前後方向検出センサを示す図である。
【発明を実施するための形態】
【００１９】
図１乃至図３は本発明を適用した汎用コンバインの平面図、左側面図及び右側面図である。図示する汎用コンバインは、稲や麦や豆類等の作物の刈取作業を行うものであり、該汎用コンバインは、左右一対のクローラ式走行装置１Ｌ，１Ｒを有する走行機体２と、走行機体２の前方に昇降自在に連結された刈取部３と、左右方向に延びる筒状のリール４と、該リールを上下方向（昇降）及び前後方向に移動可能に刈取部３側に支持する可動機構６とを備えている。
【００２０】
上記刈取部３は、後側半部のフィーダ７及び前側半部の刈取フレーム８を一体的で備え、刈取フレーム８の左右の側壁からは前方に向かって分草体９が突出され、刈取フレーム８の左右の側壁間における下部且つ後部には、左右方向に延びる円柱状の掻込オーガ１１が軸回りに回転駆動可能に支持され、該掻込オーガ１１の前方には、左右方向のレシプロ式の刈刃１２が設置されている。ちなみに、平面視刈取フレーム８の左右の側壁間に前記リール４が位置している。
【００２１】
フィーダ７は、刈取った作物の穀稈を後方搬送する前後方向のフィーダコンベア１３を備え、全体が後述する走行機体２側の操縦部１４の側方に位置しており、このフィーダ７の後端部が走行機体２の前部に支持されている他、刈取フレーム８は操縦部１４の前側からフィーダ７の前側に至る左右範囲に形成されている。
【００２２】
この刈取部３と、走行機体２の前部との間には、伸縮作動によって該刈取部３を走行機体２に対して昇降させる油圧式のリフトシリンダ（刈取部昇降アクチュエータ）１６が設けられている。このリフトシリンダ１６を伸張作動させることにより、刈取部３が走行機体２に対して上昇する一方で、リフトシリンダ１６を縮小作動させることにより、刈取部３が走行機体２に対して下降する。
【００２３】
前記リール４は、後述する手段によって動力が伝動されて自身の軸回りに回転駆動される回転軸１７と、該回転軸１７と一体回転する側面視多角形状（図示する例では６角形状）の左右一対のサイドフレーム１８，１８とを備え、互いに離間した状態で平行に対向配置された左右一対のサイドフレーム１８，１８の頂点部分同士をそれぞれ左右方向の横フレーム１９によって連結固定することにより、周囲及び左右両側方が内外で連通し且つ内部が空洞となる角柱状に成形されている。また、回転軸１７の軸回りに所定間隔毎に配置された各横フレーム１９には、下降突出するリールタイン２１が所定間隔毎に複数配置されている。
【００２４】
回転するリール４によって掻込まれた圃場の作物の穀稈は、左右に往復スライド駆動される刈刃１２によって刈取られ、掻込オーガ１１によってフィーダ７側に掻込まれる。フィーダ７側に導入された作物の穀稈は、フィーダコンベア１３によって走行機体２側まで後方搬送される。
【００２５】
上記走行機体２の左側半部には、刈取った稲や麦等の穀稈の脱穀処理を行うとともに該脱穀処理された処理物から籾等の穀粒を選別する脱穀部２２が設置され、走行機体２の右側半部には、脱穀部２２からの穀粒を蓄えるグレンタンク２３が配設され、グレンタンク２３の前方には、オペレータが乗込む前記操縦部１４が設置されている。
【００２６】
脱穀部２２は、フィーダコンベア１３からの作物の穀稈が導入される扱室２４と、扱室２４の真下側に形成された選別室２６とを備え、扱室２４内には、前後方向に延びる円柱状の扱胴２７が自身の軸回りに回転自在に軸支され、選別室２６内の上部には、前後動する揺動選別体２８が設置され、選別室２６内の下部前側には、後方斜め上方の選別風を起風する唐箕ファン２９が配置され、選別室２６内の下部の前後方向中途部には、一番ラセン３１と、二番ラセン３２が前後に配置されている。
【００２７】
フィーダ７から脱穀部２２に導入された穀稈は、扱室２４内の回転する扱胴２７によって後方搬送されながら脱穀処理され、その処理物は、選別室２６に落下する。選別室２６に落下した処理物は揺動選別体２８によって揺動選別されるとともに、上記選別風によって選別（風選）される。具体的には、選別風の影響を受けずに前側の一番ラセン３１に落下する一番物と、選別風の影響を若干受けて後側の二番ラセン３２に落下する二番物と、選別風の影響を受けて後方斜め上方に吹上げられる藁屑等の排出物とに選別される。ちなみに、一番物は穀粒としてグレンタンク２３内に搬送され、二番物は選別室２６内に再度導入されて風選され、排出物は走行機体２の後端側から機外に排出される。
【００２８】
なお、揺動選別体２８の後半部には、前後方向に並列配置された複数のフィン３３ａによりなるチャフシーブ３３が設置されている。そして、電動モータ等からなるフィン開閉アクチュエータによって、フィン３３ａが下方を向くように回動される開作動時には、開度が大きくなって、揺動選別体２８の上方側に吹抜ける選別風の風量が増加する一方で、フィン開閉アクチュエータによって、フィン３３ａが水平方向を向くように回動される閉作動時には、開度が小さくなって、揺動選別体２８の上方側に吹抜ける選別風の風量が減少する。このようなフィン３３ａの開閉作動による風量の調整によって、処理物の量に応じた最適な風選を行うことが可能になる。
【００２９】
グレンタンク２３内の穀粒は、走行機体２の後端部に支持された排出オーガ３６によって機外に排出される。具体的には、全体が上下揺動可能且つ水平回動可能なように排出オーガ３６の基端部が走行機体２に支持され、該排出オーガ３６の先端部には穀粒を排出する排出部３６ａが設けられており、上下揺動又は水平回動によって排出オーガ３６の排出部３６ａを所定位置に移動させ、その場で穀粒を排出させることができる。
【００３０】
図４は刈取部３を走行機体に対して下降させかつリール４を刈取部に対して上昇させた状態を示す汎用コンバインの側面図であり、図５は刈取部を走行機体に対して上昇させ且つリールを刈取部に対して下降させた状態を示す汎用コンバインの側面図である。本汎用コンバインは、刈取部３を走行機体２に対して最下げ位置に下降させた状態のまま、リール４のみを刈取部３に対して最上げ位置に上昇させることもでき（図４参照）、さらに、リール４を刈取部３に対して最下げ位置に下降させた状態のまま、刈取部３を走行機体２に対して最上げ位置に上昇させることも可能なる（図５参照）。
【００３１】
図６は、本汎用コンバインの動力伝動系統図である。エンジン４２で発生した動力は、伝動最上流側で、走行系の動力と作業系の動力とに分岐される。そして、走行系の動力は、走行ＨＳＴ４３→走行トランスミッション４４の順に伝動されて左右のクローラ式走行装置１Ｌ，１Ｒを走行駆動させる。一方、作業系の動力は、脱穀クラッチ４６を介して脱穀部２２に断続伝動される他、脱穀部２２側の動力は刈取クラッチ４７を介して刈取部３及びリール４に断続伝動される。
【００３２】
走行ＨＳＴ４３はエンジン４２側からの動力の正逆転切換及び無段階変速伝動を行い、その出力動力を走行トランスミッション４４に伝動する。走行トランスミッション４４は、走行ＨＳＴ４３からの動力を左右のクローラ式走行装置１Ｌ，１Ｒに等速で伝動する機能を有するとともに異なる回転速度で伝動する機能も有する他、走行ＨＳＴ４３からの動力を左側のクローラ式走行装置１Ｌに断続伝動する左サイドクラッチ４８Ｌと、走行ＨＳＴ４３からの動力を右側のクローラ式走行装置１Ｒに断続伝動する右サイドクラッチ４８Ｒとを備えている。このため、左右のサイドクラッチ４８Ｌ，４８Ｒの一方を切断するとともに他方を接続すると、切断した側に走行機体２が旋回される。ちなみに、左右のクローラ式走行装置１Ｌ，１Ｒを同一速度で駆動させれば、走行機体２が直進走行する。
【００３３】
刈取部３側に伝動された動力は、フィーダ駆動軸４９にチェーン伝動されてフィーダコンベア１３を搬送駆動させる他、該フィーダ駆動軸４９の動力は、分岐軸５１に伝動される。分岐軸５１の動力は、掻込オーガ駆動軸５２にチェーン伝動され掻込オーガ１１を掻込駆動させるとともに、刈刃駆動軸５３にベルト伝動されて刈刃１２を刈取駆動させる。
【００３４】
また、分岐軸５１の動力は、リール変速装置５４に伝動される。このリール変速装置５４は、分岐軸５１の動力がチェーン伝動される入力軸５６と、該入力軸５６と一体回転する入力プーリ５７と、出力軸５８と、該出力軸５８と一体回転する出力プーリ５９と、入力プーリ５７と出力プーリ５９との掛け回されるＶベルト６１とから構成される。入力軸５６の動力は、リール変速アクチュエータを介した入力プーリ５７と出力プーリ５９とＶベルト６１の作動により、無段階で変速され出力軸５８に伝動される。出力軸５８の動力は、前記回転軸１７に伝動されてリール４を回転駆動させる。
【００３５】
すなわち、リール変速装置５４は、リール４の回転速度を無段階で変速するように構成されている。また、リール変速装置５４は、左右のリール支持アーム３８，３８の一方を構成する伝動ケース３８Ａに内装されている。
【００３６】
次に、図７及び図８に基づき操縦部の構成を説明する。図７は、操縦部の斜視図である。操縦部１４は、オペレータが着座する座席６３（図１乃至図３参照）と、座席６３の側方に配置された変速レバー６４と、座席６３の前方に配置されたマルチステアリングレバー６６と、変速レバー６４の後方に配置されたスイッチパネル６７と、変速レバー６４の前方且つマルチステアリングレバー６６の側方に配置された刈高さ設定ダイヤル６８とを備えている。
【００３７】
上記変速レバー６４は、走行ＨＳＴ４３をニュートラル状態とする前後中立位置から左右一方側への揺動によって、該中立位置からの前方揺動が可能になる一方で、中立位置からの左右他方側への揺動によって、該中立位置からの後方揺動が可能になる。そして、変速レバー６４の中立位置からの前方揺動によって、走行ＨＳＴ４３を介した前進走行側への増速操作を行う一方で、変速レバー６４の中立位置からの後方揺動によって、走行ＨＳＴ４３を介した後進走行側への増速操作を行う。
【００３８】
この変速レバー６４の上端部にはグリップ６４ａが形成され、このグリップ６４ａの側部には、該グリップ６４ａを把持しながら押し操作可能なモーメンタリ式の掻込スイッチ（強制掻込操作手段）６９が設けられ、グリップ６４ａの背面側には、オルタネート式の倒伏スイッチ（倒伏刈操作手段）７１が配設されている。
【００３９】
上記刈高さ設定ダイヤル６８は、押し操作可能且つダイヤル操作可能に構成され、刈高さ設定ダイヤル６８の押し操作によって刈高さ自動スイッチが入状態になるとともに、再度の押し操作によって刈高さ自動スイッチが切状態になる一方で、刈高さ設定ダイヤル６８のダイヤル操作によって刈取作業時の刈取部３の昇降高さ（刈高さ）が設定される。
【００４０】
図８は、マルチステアリングレバーの背面図である。上記マルチステアリングレバー６６は、前後揺動によって、リフトシリンダ１６を介した刈取部３の昇降手動操作を行うとともに、左右揺動によって車体の操向操作を行う。
【００４１】
具体的には、マルチステアリングレバー６６を前後中立位置から前方揺動させることにより、リフトシリンダ１６を縮小作動させる刈取部３の下降操作を行い、マルチステアリングレバー６６を前後中立位置から後方揺動させることにより、リフトシリンダ１６を伸張作動させる刈取部３の上昇操作を行う一方で、マルチステアリングレバー６６を左右中立位置から左側に揺動させることにより、左右のクローラ式走行装置１Ｌ，１Ｒの右側を左側に対して高速走行駆動させて車体を左側に旋回させる左旋回操作を行い、マルチステアリングレバー６６を中立位置から右側に揺動させることにより、左右のクローラ式走行装置１Ｌ，１Ｒの左側を右側に対して高速走行駆動させて車体を右側に旋回させる右旋回操作を行う。
【００４２】
すなわち、マルチステアリングレバー６６は、刈取部３を走行機体２に対して昇降させる刈取部昇降手動操作手段であるとともに、走行機体２の操向操作手段でもある。
【００４３】
また、マルチステアリングレバー６６上端部の背面側における左右一方側にはリール昇降手動操作手段７４が設けられ、左右他方側にはリール前後移動手動操作手段７６が設けられている他、マルチステアリングレバー６６上端部の正面側にはモーメンタリ式のトリガースイッチ７３が設置されている。
【００４４】
具体的には、リール昇降手動操作手段７４として、リール４を刈取部３に対して上昇操作するモーメンタリ式のリール上昇スイッチ７４Ａと、リール４を刈取部３に対して下降操作するモーメンタリ式のリール下降スイッチ７４Ｂとが上下に設けられ、リール前後移動手動操作手段７６として、リール４を刈取部３に対して前進操作するモーメンタリ式のリール前進スイッチ７６Ａと、リール４を刈取部３に対して後退操作するモーメンタリ式のリール後退スイッチ７６Ｂとが上下に設けられている。
【００４５】
ついで、図９ないし図１４に沿って、本発明の要部である刈取部３におけるリールの可動機構６について説明する。該可動機構６は、前端にリール４の回転軸１７を支持した左右１対のリール支持アーム３８，３８を備える。これらリール支持アーム３８の後端部は、進退アーム３７，３７を介して刈取フレーム８に支持されている。即ち、進退アーム３７の上端部は枢支軸８１を介して上記リール支持アーム３８に連結されており、その下端部は枢支軸８２を介して刈取フレーム８に連結されている。詳しくは、図１１に詳示するように、左右のリール支持アーム３８，３８の後端部は連結フレーム８３により一体に連結されており、上記進退アーム３７は、左右及び中間の３個からなり、右及び中間の進退アーム３７ａ，３７ｂは、中間シャフト８４により一体に連結されていると共に、その上端が上記連結フレーム８３にブラケットを介して回転自在に連結され、その下端部が刈取フレーム８の後端にブラケット８５を介して取付けられた上記枢支軸８２に連結されている。
【００４６】
前記左右のリール支持アーム３８，３８の中間部と刈取フレーム８との間にはそれぞれ昇降シリンダ（リール上下移動用アクチュエータ）４１，４１が取付けられている。該昇降シリンダ４１は、その固定側であるシリンダ部４１ａがピン８６を介して刈取フレーム８に連結され、その可動側であるピストン部４１ｂがピン８７を介してリール支持アーム３８に連結されている。前記左右リール支持アーム３８の後端部を連結する連結フレーム８３とフィーダ７の上面との間に進退シリンダ（リール前後移動用アクチュエータ）３９が取付けられている。なお、上記昇降シリンダ４１及び進退シリンダ３９は、本実施の形態では油圧シリンダからなるが、電動シリンダ等の他の直動アクチュエータでもよい。また、進退シリンダ３９の一端は、連結フレーム８３に連結したが、進退アーム３７に連結してもよい。
【００４７】
従って、上記リール支持アーム３８は、枢支点８１，８２，８６，８７の４点で支持される４点リンク（４節リンク）機構を構成し、昇降シリンダ４１の伸縮により図１２に示すよう、枢支点８１を中心として上下（昇降）方向に揺動し、進退シリンダ３９を伸縮することにより図１３に示すように、枢支点８２，８６を中心として前後方向に移動し得る。
【００４８】
図１０及び図１１に示すように、リール支持アーム３８の上下方向の移動は、ボーデンワイヤ９０を介してポテンショメータ９１に伝えられる。ボーデンワイヤ９０のアウタワイヤ９０ａの一端部は、右昇降シリンダ４１の固定側であるシリンダ部４１ａに設けられたアウタ受け９２に取付けられる。該ワイヤ９０のインナワイヤ９０ｂの一端部は、リール支持アーム３８における枢支軸８７の近傍にピン９３により取付けられる。上記ポテンショメータ９１は、刈取フレーム８の背面板８ａの後側面に配置される。該背面板８ａは、掻込オーガ１１が軸線を左右方向にして収納されている刈取フレーム８の後側における右後側を塞いでおり、該刈取フレーム８の左後側はフィーダ７が連結されている。
【００４９】
上記ポテンショメータ９１は、図１１，図１４に示すように、上記背面板８ａに桟部材９５を介して取付けられており、該桟部材９５には、センサアーム９６が枢支ピン９７により回転自在に支持されている。該センサアーム９６の一端には前記ボーデンワイヤ９０のインナワイヤ９０ｂの他端部が連結されており、該センサアーム９６の他端は、ピン９９を介して前記ポテンショメータ９１の作動アーム９１ａに連動している。前記ボーデンワイヤ９０のアウタワイヤ９０ａの他端は、背面板８ａの縁部８ｃに設けられたアウタ受け１００に取付けられており、また上記センサアーム９６は、上記インナワイヤ９０ｂの引張り力に抗するように、背面板８ａの他側縁部８ｄとの間にスプリング１０１が張設される。上記ポテンショメータ９１は、昇降シリンダ４１のストロークを検出するストロークセンサを構成し、従ってリール支持アーム３８の上下方向の揺動によるリール４の上下方向（昇降）位置を検出する上下方向検出センサを構成する。なお、上記ポテンショメータ９１へのボーデンワイヤ９０の連結は、インナワイヤ９０ｂを背面板８ａ等の固定部材に固定し、アウタワイヤ９０ａをセンサアーム９６に連結してもよい。
【００５０】
また、進退アーム３７の刈取フレーム８側の枢支軸（回転軸）８２部分には、該進退アーム３７と一体に回転する回転軸８２の回転角を検出するポテンショメータ１０３が配置されている。該ポテンショメータ１０３は、リール支持アーム３８の前後方向位置を検出する前後方向検出センサを構成する。
【００５１】
従って、図１２に示すように、昇降シリンダ４１の伸縮によりリール支持アーム３８を枢支軸８１を中心に上下方向に揺動して、リール４の昇降位置を調節する際、前記昇降シリンダ４１のストロークを検出する前記ポテンショメータ９１により、上記リール４の昇降（上下方向）位置が検出される。この際、進退アーム３７は一定位置にあって、その枢支軸（回転軸）８２の回動角を検出するポテンショメータ１０３の検出値は一定値にある。
【００５２】
図１３に示すように、進退シリンダ３９を伸縮することにより、昇降シリンダ４１及び進退アーム３７の刈取フレーム８側の枢支軸８２，８６を中心にしてリール支持アーム３８を前後方向に揺動して、リール４の前後位置を調節する際、進退アーム３７の枢支軸（回転軸）８２の回動角を検出することにより、上記リール４の前後方向位置が検出される。この際、昇降シリンダ４１は一定長さ位置にあって、ストロークセンサである上記ポテンショメータ９１の検出値は一定値にある。
【００５３】
なお、上記ストロークセンサであるポテンショメータ９１は、図１５に示すように、背面板８ａに横方向に取付けた桟部材９５に横向きに配置してもよい。センサアーム９６は、枢支ピン９７により上下方向に移動自在に取付けられ、その先端に、上方向から垂下したボーデンワイヤ９０のインナワイヤ９０ｂが連結される。該ボーデンワイヤ９０のアウタ受け１００は背面板８ａの上部に配置されている。従って、本実施の形態にあっては、センサアーム９６が重力により下方に向けて付勢されて、インナワイヤ９０ｂに対抗するので、図１４に示すスプリング１０１が不要になる。
【００５４】
なお、前記前後方向検出センサは、進退アーム３７の刈取フレーム８側の枢支軸８２の回動角を検出するポテンショメータ１０３に限らず、昇降シリンダ４１の刈取フレーム８に対する回動角（該昇降シリンダ４１と一体に回動する枢支軸８６の回動角）を検出するもの、また進退シリンダ３９のストロークを検出するもの等、他のものでもよい。
【００５５】
前記背面板８ａに配置されたポテンショメータ９１は、ワイヤ９０を介して上記昇降シリンダのストロークを検出し、昇降シリンダのストロークを直接検出するストロークセンサに比して、安価になり、またポテンショメータ９１が作物の流れと干渉しない背面板８ａに配置されるので、作物の影響を受けることなく検出することができる。
【００５６】
前述したリール４の上下方向（昇降）及び前後方向の調節は、前記リール昇降手動操作手段７４の上昇スイッチ７４Ａ及び下降スイッチ７４Ｂ並びに前記リール前後移動手動操作手段７６の前進スイッチ７６Ａ及び後退スイッチ７６Ｂの操作により行われる。
【００５７】
また、変速レバー６４の上端グリップ６４ａに配置された掻込スイッチ６９をオン操作すると、強制掻込制御となる。該強制掻込制御にあっては、リール回転が掻込みに適した所定回転速度（例えば最高回転）になり、リールが掻込みに適した所定後方位置（例えば最後方位置）に設定され、かつリールが掻込みに適した所定高さ位置（例えば下限位置）に設定される。具体的には、リール４が図１３における鎖線位置となる。そして、上記掻込みスイッチ６９をオフして強制掻込制御を終了すると、該スイッチ６９がオン操作される前の状態にリールが戻される。
【００５８】
変速レバー６４に配置された倒伏スイッチ７１をオン操作すると、倒伏制御となる。該倒伏制御にあっては、リール回転が倒伏材刈取りに適した所定回転数（例えば最高回転数）になり、リールが倒伏刈取に適した所定前側位置（例えば最前位置）に設定され、かつリールが倒伏刈取りに適した所定高さ位置（例えば下限位置）に設定される。具体的には、リール４が図１３における実線位置になる。そして、上記倒伏スイッチ７１をオフして倒伏制御を終了すると、該スイッチがオン操作される前の状態にリールが復帰される。
【００５９】
上述した実施の形態は、リール支持アーム３８を、その後端部が進退アーム３７を介して刈取フレーム８に連結される。いわゆる４点リンク機構としたが、これに限らず、リール支持アーム３８は、その後端部を刈取フレームに枢支軸により直接支持され、リールがリール支持アーム３８に前後方向移動自在に支持されるものに、上記ポテンショメータ９１及びボーデンワイヤ９０からなるリールの上下方向位置を検出するセンサを適用してもよい。
【符号の説明】
【００６０】
３    刈取部
４    リール
６    可動機構
８    刈取フレーム
８ａ  背面板
３７    進退アーム
３８    リール支持アーム
３９    進退シリンダ
４１    昇降シリンダ
４１ａ  固定側（シリンダ部）
４１ｂ  可動側（ピストン部）
９０    ボーデンワイヤ
９０ａ  アウタワイヤ
９０ｂ  インナワイヤ
９１    ポテンショメータ
９２    アウタ受け
９６    センサアーム
【図１】
2014039512.tif 000003
【図２】
2014039512.tif 000004
【図３】
2014039512.tif 000005
【図４】
2014039512.tif 000006
【図５】
2014039512.tif 000007
【図６】
2014039512.tif 000008
【図７】
2014039512.tif 000009
【図８】
2014039512.tif 000010
【図９】
2014039512.tif 000011
【図１０】
2014039512.tif 000012
【図１１】
2014039512.tif 000013
【図１２】
2014039512.tif 000014
【図１３】
2014039512.tif 000015
【図１４】
2014039512.tif 000016
【図１５】
2014039512.tif 000017